(57)【要約】【課題】タバコを止めたい喫煙者に喫煙支援をする装置を提供する。【解決手段】演算装置と表示部と外的変化を検知する検知器を少なくとも有し、喫煙欲求を予測したときにプログラムが起動し喫煙を牽制するメッセージが表示されることを特徴とする禁煙支援装置であり、禁煙者の喫煙欲求は恒常的に一定なものではなく、一時的に高まることが知られている。また、喫煙欲求は動作、習慣と連動することが多い。そこで、検知器１を用いて外的情報の検知を行ない、喫煙欲求を牽制する表示を行なうことで、喫煙欲求を低減させることができる。【選択図】図１
2006190014.tif 000002
【特許請求の範囲】
【請求項１】
演算装置と表示部と外的変化を検知する検知器を少なくとも有し、喫煙欲求を予測したときにプログラムが起動し喫煙を牽制するメッセージが表示されることを特徴とする禁煙支援装置。
【請求項２】
外的要因検知手段として温度検知器を有し、温度変化を検知して喫煙欲求を予測することを特徴とする請求項１記載の禁煙支援装置。
【請求項３】
外的要因検知手段として煙検知器を有し、煙を検知して喫煙欲求を予測することを特徴とする請求項１記載の禁煙支援装置。
【請求項４】
外的要因検知手段として騒音検知器を有し、騒音レベルの変化を検知して喫煙欲求を予測することを特徴とする請求項１記載の禁煙支援装置。
【請求項５】
外的要因検知手段として温度、煙、騒音のうち複数の検知器を有し、これら複数の検知レベルの変化を検知して喫煙欲求を予測することを特徴とする請求項１記載の禁煙支援装置。
【請求項６】
演算装置と表示部と禁煙者変化を検知する検知器を少なくとも有し、喫煙欲求を予測したときにプログラムが起動し喫煙を牽制するメッセージが表示されることを特徴とする禁煙支援装置。
【請求項７】
禁煙者変化検知手段として体温検知器を有し、体温変化を検知して喫煙欲求を予測することを特徴とする請求項６記載の禁煙支援装置。
【請求項８】
禁煙者変化検知手段として末梢部体温検知器を有し、末梢部体温変化を検知して喫煙欲求を予測することを特徴とする請求項６記載の禁煙支援装置。
【請求項９】
禁煙者変化検知手段としてまばたき回数検知器を有し、まばたきの回数の変化を検知して喫煙欲求を予測することを特徴とする請求項６記載の禁煙支援装置。
【請求項１０】
禁煙者変化検知手段として発汗量検知器を有し、発汗量の変化を検知して喫煙欲求を予測することを特徴とする請求項６記載の禁煙支援装置。
【請求項１１】
喫煙者変化検知手段として体温、末梢部体温、まばたき、発汗量のうち複数の検知器を有し、これら複数の検知レベルの変化を検知して喫煙欲求を予測することを特徴とする請求項６記載の禁煙支援装置。
【請求項１２】
演算装置と表示部と時間変化を検知するタイマーを少なくとも有し、時間的要因から喫煙欲求を予測したときにプログラムが起動し喫煙を牽制するメッセージが表示されることを特徴とする禁煙支援装置。
【請求項１３】
演算装置と表示部と行動予定データが蓄積されている行動予定データベースを少なくとも有し、行動内容から喫煙欲求を予測したときにプログラムが起動し喫煙を牽制するメッセージが表示されることを特徴とする禁煙支援装置。
【請求項１４】
演算装置と表示部および、外的要因検知手段、喫煙者変化検知手段、時間測定タイマー、行動予定データが蓄積されている行動予定データベースのうち複数を少なくとも有し、行動内容から喫煙欲求を予測したときにプログラムが起動し喫煙を牽制するメッセージが表示されることを特徴とする禁煙支援装置。
【請求項１５】
喫煙を牽制するメッセージの有効性を入力する操作部および入力されたデータを蓄積するデータベースを持つことを特徴とする請求項１に記載の禁煙支援装置。
【請求項１６】
喫煙を牽制するメッセージが携帯電話から音声により提供されることを特徴とする請求項１に記載の禁煙支援装置。
【請求項１７】
喫煙を牽制するメッセージが携帯電話からメールにより提供されることを特徴とする請求項１に記載の禁煙支援装置。
【請求項１８】
喫煙を牽制するメッセージが携帯電話からアラート画面により提供されることを特徴とする請求項１に記載の禁煙支援装置。
【請求項１９】
喫煙を牽制するメッセージが有線電話から音声により提供されることを特徴とする請求項１に記載の禁煙支援装置。
【請求項２０】
喫煙を牽制するメッセージがパソコンからメールにより提供されることを特徴とする請求項１に記載の禁煙支援装置。
【請求項２１】
喫煙を牽制するメッセージがパソコンからアラート画面により提供されることを特徴とする請求項１に記載の禁煙支援装置。
【発明の詳細な説明】
【技術分野】
【０００１】
本発明は禁煙を志望する禁煙者を支援するための禁煙支援装置および装置に搭載されたプログラムに関する。
【背景技術】
【０００２】
タバコをやめる禁煙を阻害する要因は２つあり、１つは薬物であるニコチンの中毒症状、もう１つは精神的な弱さである。ここでは、本発明に関連する精神的な問題について述べる。
【０００３】
禁煙者の喫煙欲求は恒常的に同じレベルで推移しているわけではなく、吸いたい欲求が高まるときとそうでないときがある。それゆえに、吸いたい欲求が高まるときに、何らかの手段で喫煙欲求をそらすことが禁煙のための有力な手段である。
【０００４】
従来の手法としては、「インターネット禁煙マラソン」のように吸いたくなったときにするべきことを自分で見つけておく方法や、携帯より医師に連絡してその旨告げて励ましをもらうものなどがあった（例えば、特許文献１参照）。
【特許文献１】特開２００２−９２１８０号公報
【発明の開示】
【発明が解決しようとする課題】
【０００５】
しかしながら従来例において、吸いたくなったことを自覚してからでは、喫煙欲求が高まってしまったおり、欲求を抑えるのに多大な努力を要するという問題があった。
【０００６】
本発明はこれらの問題を解決し、少ない努力で喫煙欲求を抑えることができる禁煙支援装置の提供を目的とするものである。
【課題を解決するための手段】
【０００７】
本発明は、先制型・学習型の禁煙支援装置に関するものである。
【０００８】
請求項１の発明においては、演算装置と表示部と外的変化を検知する検知器を少なくとも有し、喫煙欲求を予測したときにプログラムが起動し喫煙を牽制するメッセージが表示される禁煙支援装置を提供するものである。
【０００９】
請求項２の発明においては、外的要因検知手段として温度検知器を有し、温度変化を検知して喫煙欲求を予測する禁煙支援装置を提供するものである。
【００１０】
請求項３の発明においては外的要因検知手段として煙検知器を有し、煙を検知して喫煙欲求を予測する禁煙支援装置を提供するものである。
【００１１】
請求項４の発明においては外的要因検知手段として騒音検知器を有し、騒音レベルの変化を検知して喫煙欲求を予測する禁煙支援装置を提供するものである。
【００１２】
請求項５の発明においては外的要因検知手段として温度、煙、騒音のうち複数の検知器を有し、これら複数の検知レベルの変化を検知して喫煙欲求を予測する禁煙支援装置を提供するものである。
【００１３】
請求項６の発明においては演算装置と表示部と禁煙者変化を検知する検知器を少なくとも有し、喫煙欲求を予測したときにプログラムが起動し喫煙を牽制するメッセージが表示される禁煙支援装置を提供するものである。
【００１４】
請求項７の発明においては禁煙者変化検知手段として体温検知器を有し、体温変化を検知して喫煙欲求を予測する禁煙支援装置を提供するものである。
【００１５】
請求項８の発明においては禁煙者変化検知手段として末梢部体温検知器を有し、末梢部体温変化を検知して喫煙欲求を予測する禁煙支援装置を提供するものである。
【００１６】
請求項９の発明においては禁煙者変化検知手段としてまばたき回数検知器を有し、まばたきの回数の変化を検知して喫煙欲求を予測する禁煙支援装置を提供するものである。
【００１７】
請求項１０の発明においては禁煙者変化検知手段として発汗量検知器を有し、発汗量の変化を検知して喫煙欲求を予測する禁煙支援装置を提供するものである。
【００１８】
請求項１１の発明においては喫煙者変化検知手段として体温、末梢部体温、まばたき、発汗量のうち複数の検知器を有し、これら複数の検知レベルの変化を検知して喫煙欲求を予測する禁煙支援装置を提供するものである。
【００１９】
請求項１２の発明においては演算装置と表示部と時間変化を検知するタイマーを少なくとも有し、時間的要因から喫煙欲求を予測したときにプログラムが起動し喫煙を牽制するメッセージが表示される禁煙支援装置を提供するものである。
【００２０】
請求項１３の発明においては演算装置と表示部と行動予定データが蓄積されている行動予定データベースを少なくとも有し、行動内容から喫煙欲求を予測したときにプログラムが起動し喫煙を牽制するメッセージが表示される禁煙支援装置を提供するものである。
【００２１】
請求項１４の発明においては演算装置と表示部および、外的要因検知手段、喫煙者変化検知手段、時間測定タイマー、行動予定データが蓄積されている行動予定データベースのうち複数を少なくとも有し、行動内容から喫煙欲求を予測したときにプログラムが起動し喫煙を牽制するメッセージが表示される禁煙支援装置を提供するものである。
【００２２】
請求項１５の発明においては、喫煙を牽制するメッセージの有効性を入力する操作部および入力されたデータを蓄積するデータベースを持ち、学習効果を有する禁煙支援装置を提供するものである。
【００２３】
請求項１６の発明においては喫煙を牽制するメッセージが携帯電話から音声により提供される禁煙支援装置を提供するものである。
【００２４】
請求項１７の発明においては喫煙を牽制するメッセージが携帯電話からメールにより提供される禁煙支援装置を提供するものである。
【００２５】
請求項１８の発明においては喫煙を牽制するメッセージが携帯電話からアラート画面により提供される禁煙支援装置を提供するものである。
【００２６】
請求項１９の発明においては喫煙を牽制するメッセージが有線電話から音声により提供される禁煙支援装置を提供するものである。
【００２７】
請求項２０の発明においては喫煙を牽制するメッセージがパソコンからメールにより提供される禁煙支援装置を提供するものである。
【００２８】
請求項２１の発明においては喫煙を牽制するメッセージがパソコンからアラート画面により提供される禁煙支援装置を提供するものである。
【発明の効果】
【００２９】
本発明は上記実施の形態より明らかなように、喫煙欲求に対し効果的な牽制を行なう禁煙支援装置を実現することができる。
【発明を実施するための最良の形態】
【００３０】
以下、本発明の実施について、図１〜図４を用いて説明する。
【００３１】
（実施の形態１）
図１は本発明の第１の実施の形態における禁煙支援装置のブロック図である。
【００３２】
図１（ａ）のブロック図において、禁煙支援装置の演算部２は検知部１を用いて、なんらかの外的条件の変化を検知し、表示部３に喫煙を牽制するメッセージを表示する。具体的な外的条件は以下に述べる。
【００３３】
（ｂ）において、検知部１には温度検知部４が用いられており、温度の変化を検知しメッセージを表示する。喫煙者が禁煙支援装置を携行していて急激な温度の変化があったとすると、それは例えば屋内から屋外へ（もしくはその逆）というような場所の移動があったと推測できる。場所の移動に伴い喫煙をする喫煙者が多いため、気温の変化から喫煙要求を予測し、牽制するメッセージを表示することが可能である。
【００３４】
（ｃ）では、検知部１には煙検知部５が用いられている。煙が検知されたとすると、喫煙できるスペースに入ったことを意味し、喫煙者が喫煙欲求を覚える。そこで、煙を検知した段階で牽制するメッセージを表示する。
【００３５】
（ｄ）において、検知部は騒音検知部６を用いている。騒音レベルが急に変化したとすると、外部に出た、もしくは会議が終わったなどの状況の変化があったとみなすことができ、このような状況下での喫煙欲求を牽制することができる。
【００３６】
本実施の形態においてセンサに関しては上記に関したものだけに限定されず、またセンサを組み合わせて用いることでさらに精度の良い喫煙予測が期待できる。
【００３７】
（実施の形態２）
図２は本発明の第２の実施の形態における禁煙支援装置のブロック図の一例である。本実施の形態では、検知部に生体情報の検知部７を用い、喫煙者の生体情報を収集し、その変化により喫煙要求を予測し、牽制のメッセージを表示するものである。
【００３８】
（ｂ）においては生体情報検知に喫煙者の体温を計測する体温検知器８を用い、喫煙者の体温の変化により喫煙要求を予測し、牽制のメッセージを出す。
【００３９】
（ｃ）においては、生体情報検知に喫煙者の末梢部（例えば指先）の温度を検知する末梢部体温検知器９を用いて、末梢部の温度が上がってきたら、喫煙要求があると予測し、牽制のメッセージを出す。
【００４０】
（ｄ）においては生体情報検知にまばたきの回数を検出するまばたき回数検知器１０を用い、まばたきの回数の増減を検知して喫煙要求を予測し、牽制のメッセージを出す。
【００４１】
（ｅ）においては生体情報に喫煙者の発汗量を検知する発汗量検知器１１を用い、発汗量の変化より喫煙要求を予測し、牽制のメッセージを表示する。
【００４２】
本実施の形態で用いられる生体情報は上記に挙げられただけに限定されず、また、複数の生体情報を用いることで、より精度を向上させることができる。
【００４３】
（実施の形態３）
図３は本発明の第３の実施の形態における禁煙支援装置のブロック図の一例である。本実施の形態においては、あらかじめ決まっている内容にもとづき、メッセージを表示するものである。
【００４４】
（ａ）においては、タイマー１２の情報をもとに喫煙を牽制するメッセージを表示する。例えば、起床の直後に喫煙する習慣がある喫煙者においては、起床時刻にメッセージを表示することで、喫煙に牽制をかけることができる。
【００４５】
（ｂ）においては、予定表データベース１３にあらかじめ予定が記憶されており、例えば、会議が終了する予定の時刻に牽制するメッセージを表示することで、会議終了直後の喫煙要求を牽制することができる。
【００４６】
（実施の形態４）
図４は、本発明の第４の実施の形態におけるブロック図の一例であり、メッセージの表示タイミングが妥当であるかどうかを学習させるものである。
【００４７】
ここでは予定表データベース１３をもとに牽制メッセージを表示する装置について述べる。予定表データベース１３をもとに演算装置２がメッセージを表示させるが、このとき牽制が正しい場合もあるし、正しくない場合もある。例えば会議が終わった際に表示するようにした場合、会議が終わったことで喫煙欲求が高まる人もいれば、そうでない人もいる。このように、表示による牽制が有効であるかないかの評価を喫煙者は操作部１４から入力することで、喫煙欲求データベース１５に情報が蓄積され、装置の学習効果により、有効な場合にのみメッセージが表示されるようになる。
【００４８】
また、メッセージによる牽制が必要な場合に表示されない場合にも喫煙者が操作部１４を操作することで、データを喫煙欲求データベース１５に蓄積することで、必要なときにメッセージが表示されるようになる。
【００４９】
また、ここには図示されていないが、それぞれの装置におけるデータベースのデータを集積し、年齢、性別などの統計処理をおこなうことで、デフォルト状態でも精度の高い牽制メッセージを表示することが可能になる。
【００５０】
以上に述べたように、外的な検知情報、喫煙者からの検知情報、予定、時刻、および学習により、喫煙欲求に対し有効な牽制を行なう禁煙支援装置を実現することができる。
【００５１】
外的情報、喫煙者情報、予定、時刻などの組み合わせは自在に行なうことが可能である。
【００５２】
本装置の実際例としては、例えば携帯電話における、音声、メール、アラート画面などでの表示（警告）が可能である。
【００５３】
また、パソコンにおける、メール、アラート画面などでの表示が可能である。
【００５４】
さらに有線電話における音声、ＦＡＸ受信などでも実現が可能である。
【００５５】
専用端末により実現可能であることは言うまでもない。
【産業上の利用可能性】
【００５６】
本発明にかかる禁煙支援装置は喫煙欲求に対し効果的な牽制を行なう禁煙支援装置を実現することが可能になるので、本発明は禁煙を志望する禁煙者を支援するための禁煙支援装置および装置に搭載されたプログラムに関して有用である。
【図面の簡単な説明】
【００５７】
【図１】本発明の第１の実施の形態における禁煙支援装置のブロックの一例を示す図
【図２】本発明の第２の実施の形態における禁煙支援装置のブロックの一例を示す図
【図３】本発明の第３の実施の形態における禁煙支援装置のブロックの一例を示す図
【図４】本発明の第４の実施の形態における禁煙支援装置のブロックの一例を示す図
【符号の説明】
【００５８】
１    検知器
２    演算装置
３    表示部
４    温度検知部
５    煙検知部
６    騒音検知部
７    生体情報検知部
８    体温検知器
９    末梢部体温検知器
１０    まばたき回数検知器
１１    発汗量検知器
１２    タイマー
１３    予定表データベース
１４    操作部
１５    喫煙欲求データベース
【図１】
2006190014.tif 000003
【図２】
2006190014.tif 000004
【図３】
2006190014.tif 000005
【図４】
2006190014.tif 000006